(57)【要約】【課題】  この発明は、強度を維持しつつ壁厚を薄く形成できる注射針を提供することにある。【解決手段】  本発明の注射針１は、薬液投入若しくは血液等の吸引に使用される注射器の先端に装着されるもので、該注射器の装着側と反対側に位置し、先端２０に向かって漸次縮径する先端部２と、該先端部２と注射器の装着側との間に位置する円筒部３とによって構成され、前記先端部２及び／若しくは円筒部３側面に開口する開口部４を具備する注射器において、前記円筒部３の内周面３０に、該内周面３０から円筒部３の中心方向に向けて突出すると共に前記円筒部３の軸方向に沿って延出し、前記円筒部３の強度を向上させる少なくとも１つの補強突条５が形成されたものである。【選択図】  図１
2016036476.tif 000002
【特許請求の範囲】
【請求項１】
注射器の先端に装着される注射針であって、該注射器の装着側と反対側に位置し、先端に向かって漸次縮径する先端部と、該先端部と注射器の装着側との間に位置する円筒部とによって構成され、前記先端部及び／若しくは円筒部側面に開口する開口部を具備する注射器において、
前記円筒部の内周面に、該内周面から円筒部の中心方向に向けて突出すると共に前記円筒部の軸方向に沿って延出し、前記円筒部の強度を向上させる少なくとも１つの補強突条が形成されたことを特徴とする注射針。
【請求項２】
前記注射針は、樹脂による超微細加工によって形成されることを特徴とする請求項１記載の注射針。
【請求項３】
前記樹脂は、シリコン樹脂であることを特徴とする請求項２記載の注射針。
【請求項４】
前記注射針は、それぞれの寸法別に色分けされていることを特徴とする請求項３記載の注射針。
【発明の詳細な説明】
【技術分野】
【０００１】
本発明は、注射器に装着される注射針に関する。
【背景技術】
【０００２】
特許文献１（特開２００８−１２１６１６号公報）は、先端の形状が針灸治療用の鍼の形状と同様な形の松葉形状をしており、且つ先端に近い針柄の部分に薬液注射孔を有する注射針を開示する。
【０００３】
特許文献２（特表２００５−５２３０８２号公報）は、物質の注入または抜去手段と共に使用される注射針であって、先端点に向かうに従い次第に細くなる先端部と、該先端部に隣接し、１つ以上の傾斜部及び必要に応じて平行部を備える細長部と、前記物質注入／抜去手段と流体的に接続している円筒部とを備え、流体の経路を構成する内孔が存在し、該内孔は、前記円筒部内にあり、必要に応じて一部または全てが前記細長部の下方まで、および／または前記先端部まで伸びており、前記内孔を前記注射針の外部に流体的に連結する１つ以上の開口が存在しており、その少なくとも１つの開口の少なくとも一部が前記円筒部および／または前記細長部の側面または上にあり、またはそれに隣接している注射針を開示する。
【０００４】
特許文献３（特開２００２−１７２１６９号公報）は、中空構造でかつ円筒断面の直径が１００μｍ以下の注射針をプラスチック成形で形成することを開示する。また、薬液の流出孔が、先端側面若しくは側面に配置されていることが開示されている。
【先行技術文献】
【特許文献】
【０００５】
【特許文献１】特開２００８−２１２６１６号公報
【特許文献２】特表２００５−５２３０８２号公報
【特許文献３】特開２００２−１７２１６９号公報
【発明の概要】
【発明が解決しようとする課題】
【０００６】
従来の注射器の注射針において、注射針の先端は、中空の円筒針体の先端を斜めにカットして鋭利に研磨して形成されたものであるが、薬液を放出するに必要な最低限の開口面積または血液を吸入するに必要な最低限の開口面積を確保する必要があるため、先端がある程度大きくなるという不具合があり、このため人体への刺入の際に、皮膚、血管、筋肉等の組織を損傷させるため、患者に痛みを与えたり、出血を起こさせるという不具合が生じる。
【０００７】
このため、上述した特許文献等で示されるように、液体注入孔を針の側面に設け、針先端をたとえば１００μｍ以下の鋭利な先端とすることによって、患者の皮下への挿入がスムーズになることが明らかである。
【０００８】
また、鋭利な先端を有する細い円筒状の注射針は、極細樹脂等による超微細加工技術によって形成することは、すでに公知である。
【０００９】
しかしながら、鋭利な先端を有する細い円筒状の注射針において、外径を小さくすることが要求されると共に、薬剤が通過する内部貫通孔については、成るべき大きくすることが望まれる。これら両方の要求を達成するためには、円筒状の注射針の壁厚を薄く形成することとなる。また、壁厚を薄くすると注射針の強度が低下するという不具合を生じる。
【００１０】
このため、この発明は、強度を維持しつつ壁厚を薄く形成できる注射針を提供することにある。
【課題を解決するための手段】
【００１１】
したがって、本発明は、注射器の先端に装着される注射針であって、該注射器の装着側と反対側に位置し、先端に向かって漸次縮径する先端部と、該先端部と注射器の装着側との間に位置する円筒部とによって構成され、前記先端部及び／若しくは円筒部側面に開口する開口部を具備する注射器において、前記円筒部の内周面に、該内周面から円筒部の中心方向に向けて突出すると共に前記円筒部の軸方向に沿って延出し、前記円筒部の強度を向上させる少なくとも１つの補強突条が形成されたことにある。
【００１２】
円筒部の内周面に補強用の補強突条を設けたことによって、円筒部の強度を保持しつつ壁厚を薄くすることができるため、上記課題を達成できるものである。
【００１３】
また、本発明において、前記注射針は、樹脂による超微細加工によって形成されることが望ましい。
【００１４】
従来のステンレス鋼による注射針と異なり、樹脂による超微細加工によって形成されることから微細な加工が容易であり、また微細な先端を有する注射針の大量生産が可能となるものである。
【００１５】
さらに、本発明において、前記樹脂は、シリコン樹脂であることが望ましく、これによって、前記注射針を、それぞれの寸法別に色分けすることが可能となるものである。また、本発明の注射針は、セルースミクロフィブリル（セルロース分子でできたナノ繊維）を用いて製造することも可能である。
【００１６】
注射針を寸法別に色分けするために、注射針の製造時にそれぞれの混入管理ができると共に、使用時にも適切な管理ができるため注射針を間違えることがなくなるものである。
【発明の効果】
【００１７】
本発明によれば、注射針を構成する円筒部の内周面に円筒部の中心方向に突出すると共に、円筒部の軸方向に沿って延出する補強突条を設けたことによって、注射針の強度を向上させることができるために、注射針の円筒部の外径に対して内径を大きくできるように壁厚を薄く形成できるものである。
【図面の簡単な説明】
【００１８】
【図１】図１（ａ）は本発明の実施例に係る注射針の軸方向断面図であり、（ｂ）はその径方向の拡大断面図である。
【発明を実施するための形態】
【００１９】
以下、本発明の実施例に係る注射針１について、図面により説明する。
【実施例】
【００２０】
本発明の実施例に係る注射針１は、薬液投入若しくは血液等の吸引に使用される注射器の先端に装着されるもので、該注射器の装着側と反対側に位置し、先端２０に向かって漸次縮径する先端部２と、該先端部２と注射器の装着側との間に位置する円筒部３とによって構成され、前記先端部２及び／若しくは円筒部３側面に開口する開口部４を具備する注射器において、前記円筒部３の内周面３０に、該内周面３０から円筒部３の中心方向に向けて突出すると共に前記円筒部３の軸方向に沿って延出し、前記円筒部３の強度を向上させる少なくとも１つの補強突条５が形成されたものである。
【００２１】
尚、前記開口部４は、この実施例では、円筒部３から先端部２へ移行する部分に形成されていることから、円筒部３側が長方形形状で、先端部２側が三角形形状で形成されたものであるが、円形、楕円形状でも良いもので、その開口一は、先端部２側だけ若しくは円筒部３だけでも良いもので、その注入される薬剤の種類や、薬剤注入位置に対応して、または採取される血液や体液などに対応して設定されるものである。
【００２２】
さらに、前記補強突条５は、この実施例では内周面３０に均等に４本配置されているが、本数については特に限定されるものではないが、２本、３本若しくは４本が好ましいものである。
【００２３】
この注射針１は、超微細加工技術を用いた金型と、高度な射出成形技術により、樹脂、特にシリコン樹脂で形成されたものである。これによって、注射針１の寸法毎に色分けすることも可能となるものである。
【００２４】
また、以上の構成によって、注射針１に円筒部３が補強突条５によって補強されることから、注射針１の円筒部３の壁厚を薄く形成できるので、従来の注射針の同一の外径に対して円筒部３の内径を大きくすることができるものである。
【符号の説明】
【００２５】
１  注射針
２  先端部
３  円筒部
４  開口部
５  補強突条
２０  先端
３０  内周面
【図１】
2016036476.tif 000003